(57)【要約】【課題】帯電部材の表面の清掃性能を低下させることなく、清掃部材の重量を軽くした清掃装置を得る。【解決手段】帯電ロール１３の上部には、帯電ロール１３の表面に当接し、帯電ロール１３と従動回転する円筒状の清掃部材５０が設けられている。この清掃部材５０の両端部には、中空部を閉塞する円形の蓋部が設けられ、さらに、この蓋部の中心から、軸部が突出しており、軸部は画像形成装置の本体フレームに回転可能に支持される。この清掃部材５０は、この帯電ロール１３の表面に当接し、帯電ロール１３と従動しながらＣ方向に回転し帯電ロール１３の表面に付着したトナーや埃等を取り除く。清掃部材５０を円筒状（中空体）とすることで、大径化して剛性を上げても軽量化することができる。【選択図】図１
2007199265.tif 000002
【特許請求の範囲】
【請求項１】
表面に静電画像が形成される像担持体を帯電する帯電部材の表面を清掃する清掃部材を備え、
前記清掃部材が、前記帯電部材と従動回転しながら該帯電部材の表面を清掃する中空体であることを特徴とする清掃装置。
【請求項２】
前記中空体が弾性チューブであり、
前記弾性チューブを前記帯電部材に押し付けて変形させる押付部材と、
前記弾性チューブが前記帯電部材と従動回転するときに、前記弾性チューブの回転位置を規制する回転位置規制手段と、を有することを特徴とする請求項１に記載の清掃装置。
【請求項３】
前記回転位置規制手段が、前記押付部材の端部から張り出し、前記弾性チューブの外周面に当接して該弾性チューブの従動方向への移動を規制する板材であることを特徴とする請求項２に記載の清掃装置。
【請求項４】
前記回転位置規制手段が、前記弾性チューブの中へ挿入され、前記弾性チューブの内周面に当接して該弾性チューブの従動方向への移動を規制する回転可能な芯金であることを特徴とする請求項２に記載の清掃装置。
【請求項５】
前記中空体が弾性チューブであり、
前記弾性チューブの中へ挿入され、前記弾性チューブを内側から押し拡げて変形させ前記帯電部材に押し付ける回転可能な一対のシャフトを有することを特徴とする請求項１に記載の清掃装置。
【請求項６】
表面に静電画像が形成される像担持体を帯電する帯電部材の表面を清掃する清掃部材を備え、
前記清掃部材が、
前記帯電部材と従動回転しながら該帯電部材の表面を清掃する弾性チューブと、
前記弾性チューブの中へ挿入され、前記弾性チューブの内側から該弾性チューブを前記帯電部材へ押し付け、前記帯電部材との間に所定のニップ幅を形成するニップ形成部材と、を有することを特徴とする清掃装置。
【請求項７】
前記ニップ形成部材によって前記弾性チューブは前記帯電部材に押圧され、前記帯電部材の表面が変形することで、ニップ幅が増やされることを特徴とする請求項６に記載の清掃装置。
【請求項８】
前記ニップ形成部材が、前記帯電部材の表面に沿って湾曲した湾曲板であることを特徴とする請求項６に記載の清掃装置。
【請求項９】
前記弾性チューブと前記押圧部材との摩擦力が、前記弾性チューブと前記帯電部材との摩擦力より小さいことを特徴とする請求項２乃至４の何れか１項に記載の清掃装置。
【請求項１０】
前記弾性チューブと前記ニップ形成部材との摩擦力が、前記弾性チューブと前記帯電部材との摩擦力より小さいことを特徴とする請求項６乃至８の何れか１項に記載の清掃装置。
【請求項１１】
請求項１乃至１０いずれか１項に記載された清掃装置が設けられたことを特徴とする画像形成装置。
【発明の詳細な説明】
【技術分野】
【０００１】
本発明は、感光体の表面を帯電させる帯電部材の表面を清掃する清掃装置、及びこの清掃装置を備えた画像形成装置に関する。
【背景技術】
【０００２】
帯電装置には、帯電部材の表面に付着したトナーや埃等をクリーニング部材（清掃部材）を用いて清掃するものがある。（特許文献１）
この帯電装置では、帯電部材の表面に、スポンジ材で形成された円柱状のクリーニング部材（清掃部材）を当接させて所定量圧縮させ、帯電部材と従動回転させることで、帯電部材の表面を清掃している。
【特許文献１】特開平５−２９７６９０公報
【発明の開示】
【発明が解決しようとする課題】
【０００３】
このクリーニング部材（清掃部材）は、芯金部材の周囲に帯電部材と当接するスポンジ部材が巻きつけられた構成となっている。そして、スポンジ部材と帯電部材との所定のニップ幅を確保し清掃性能を維持するため、芯金部材の剛性を上げたり、大径化することで芯金部材が撓まないようにしている。しかし、芯金部材の剛性を上げるために芯金部材を大径化すると重くなり、軽量化することができない。
【０００４】
本発明は、上記事実を考慮し、帯電部材の表面の清掃性能を低下させることなく、清掃部材の重量を軽くした清掃装置を提供することが目的である。
【課題を解決するための手段】
【０００５】
本発明の請求項１に係る清掃装置は、表面に静電画像が形成される像担持体を帯電する帯電部材の表面を清掃する清掃部材を備え、前記清掃部材が、前記帯電部材と従動回転しながら該帯電部材の表面を清掃する中空体であることを特徴とする。
【０００６】
上記構成によれば、清掃装置に設けられた清掃部材は、表面に静電画像が形成される像担持体を帯電する帯電部材と従動回転しながら帯電部材の表面を清掃する中空体である。
【０００７】
従って、清掃部材が中空体であるため、大径化して剛性を上げても軽量化することができる。
【０００８】
本発明の請求項２に係る清掃装置は、請求項１記載において、前記中空体が弾性チューブであり、前記弾性チューブを前記帯電部材に押し付けて変形させる押付部材と、前記弾性チューブが前記帯電部材と従動回転するときに、前記弾性チューブの回転位置を規制する回転位置規制手段と、を有することを特徴とする。
【０００９】
上記構成によれば、清掃部材が中空体の弾性チューブであり、押付部材はこの弾性チューブを帯電部材に押し付けて変形させ、軸方向に沿って弾性チューブを帯電部材に所定幅でニップさせている。また、回転位置規制手段は、弾性チューブが帯電部材と従動回転するときに、弾性チューブの回転位置を規制し、弾性チューブが脱落しないようにしている。
【００１０】
従って、弾性チューブは、帯電部材との間に軸方向に沿って所定のニップ幅を確保して帯電部材と従動回転するため、帯電部材の表面を清掃する清掃性能が向上する。また、清掃部材を弾性チューブとすることで軽量化を図ることができる。
【００１１】
本発明の請求項３に係る清掃装置は、請求項２記載において、前記回転位置規制手段が、前記押付部材の端部から張り出し、前記弾性チューブの外周面に当接して該弾性チューブの従動方向への移動を規制する板材であることを特徴とする。
【００１２】
上記構成によれば、板材は弾性チューブが従動回転して従動方向へ移動しようとする動きを外側から規制して、回転位置を保持している。また、押圧部材と回転位置規制手段としての板材を一体化できるため、別途位置規制する部材が不要である。
【００１３】
本発明の請求項４に係る清掃装置は、請求項２記載において、前記回転位置規制手段が、前記弾性チューブの中へ挿入され、前記弾性チューブの内周面に当接して該弾性チューブの従動方向への移動を規制する回転可能な芯金であることを特徴とする。
【００１４】
上記構成によれば、弾性チューブの中へ挿入された芯金が、帯電部材と従動回転して従動方向へ移動しようとする弾性チューブの回転位置を規制する。また、汎用部品である芯金を利用することができるため、製造コストを削減できる。さらに、芯金は回転するので弾性チューブとの摺動抵抗が小さい。
【００１５】
本発明の請求項５に係る清掃装置は、請求項１記載において前記中空体が弾性チューブであり、前記弾性チューブの中へ挿入され、前記弾性チューブを内側から押し拡げて変形させ前記帯電部材に押し付ける回転可能な一対のシャフトを有することを特徴とする。
【００１６】
上記構成によれば、回転可能な一対のシャフトが弾性チューブの中に挿入され、弾性チューブを内側から押し拡げて変形させ帯電部材に押し付けている。
【００１７】
この一対のシャフトによって、弾性チューブは、帯電部材との間に軸方向に沿って所定のニップ幅を安定して確保できる。また、シャフトが回転することでベルトコンベアのように弾性チューブは安定して従動回転する。これにより、清掃性能が安定する。
【００１８】
本発明の請求項６に係る清掃装置は、表面に静電画像が形成される像担持体を帯電する帯電部材の表面を清掃する清掃部材を備え、前記清掃部材が、前記帯電部材と従動回転しながら該帯電部材の表面を清掃する弾性チューブと、前記弾性チューブの中へ挿入され、前記弾性チューブの内側から該弾性チューブを前記帯電部材へ押し付け、前記帯電部材との間に所定のニップ幅を形成するニップ形成部材と、を有することを特徴とする。
【００１９】
上記構成によれば、弾性チューブの内部に設けられたニップ形成部材が、内側から弾性チューブを帯電部材に押し付けてニッブ幅を形成している。これにより、弾性チューブと帯電部材との間に安定したニップ力が発生し、清掃性能が安定する。
【００２０】
本発明の請求項７に係る清掃装置は、請求項６記載において、前記ニップ形成部材によって前記弾性チューブは前記帯電部材に押圧され、前記帯電部材の表面が変形することで、ニップ幅が増やされることを特徴とする。
【００２１】
上記構成によれば、ニップ形成部材が、内側から弾性チューブを帯電部材に押し付けて帯電部材の表面を変形させて、ニップ幅を大きくしている。これにより、トナーや埃等を確実に掻き落とすことができる。また、ニップ部を形成する弾性チューブの回転方向の上流・下流の端部にエッジ部が形成されているため、掻き落とし機能が向上する。
【００２２】
本発明の請求項８に係る清掃装置は、請求項６記載において、前記ニップ形成部材が、前記帯電部材の表面に沿って湾曲した湾曲板であることを特徴とする。
【００２３】
上記構成によれば、湾曲板が帯電部材の表面に沿って、弾性チューブを内側から帯電部材に押し付けることで、外表面と帯電部材の外表面とのニップ幅が大きくなる。また、湾曲板の帯電部材の周方向の幅を調整することで、帯電部材へストレスをかけることなく、ニップ幅を調整することができる。さらに、湾曲板の幅方向の両端（ニップ領域の前後）では、弾性チューブの曲率が急激に変化してエッジ部が形成される。このエッジ部で帯電部材に付着したトナーや埃等を掻き取る剪断力が大きくなる。
【００２４】
本発明の請求項９に係る清掃装置は、請求項２乃至４いずれか１項記載において、前記弾性チューブと前記押圧部材との摩擦力が、前記弾性チューブと前記帯電部材との摩擦力より小さいことを特徴とする。
【００２５】
上記構成によれば、弾性チューブと押圧部材との摩擦力が、弾性チューブと帯電部材との摩擦力より小さいため、弾性チューブは帯電部材に引きつられて安定した状態で従動回転する。
【００２６】
本発明の請求項１０に係る清掃装置は、請求項６乃至８いずれか１項記載において、前記弾性チューブと前記ニップ形成部材との摩擦力が、前記弾性チューブと前記帯電部材との摩擦力より小さいことを特徴とする。
【００２７】
上記構成によれば、弾性チューブとニップ形成部材との摩擦力が、弾性チューブと帯電部材との摩擦力より小さいため、弾性チューブは帯電部材に引きつられて安定した状態で従動回転する。
【００２８】
本発明の請求項１１に係る画像形成装置は、請求項１乃至１０いずれか１項に記載された清掃装置が設けられたことを特徴とする。
【００２９】
上記構成によれば、請求項１乃至１０いずれか１項に記載された清掃装置が画像形成装置に設けられているため、帯電部材の表面の清掃性能を低下させることなく、清掃部材の重量を軽くすることができる。
【発明の効果】
【００３０】
本発明の清掃装置によれば、帯電部材の表面の清掃性能を低下させることなく、清掃部材の重量を軽くすることができる。
【発明を実施するための最良の形態】
【００３１】
本発明の清掃装置が採用された画像形成装置の第１実施形態を図１〜３に従って説明する。
【００３２】
図３に示されるように、この画像形成装置１００は、図示しないパーソナルコンピュータ等の画像データ入力装置から送られてくるカラー画像情報に基づいて画像処理を行い、電子写真方式によって記録媒体としての記録用紙Ｐにカラー画像を形成するものである。
【００３３】
画像形成装置１００は、イエロー（Ｙ）、マゼンタ（Ｍ）、シアン（Ｃ）、ブラック（Ｋ）の各色のトナー像を形成する画像形成ユニット１０Ｙ，１０Ｍ，１０Ｃ，１０Ｋを備えている。なお、以降、ＹＭＣＫを区別する必要がある場合は、符号の後にＹ、Ｍ、Ｃ、Ｋの何れかを付して説明し、ＹＭＣＫを区別する必要が無い場合は、Ｙ、Ｍ、Ｃ、Ｋを省略する。
【００３４】
画像形成ユニット１０Ｙ，１０Ｍ，１０Ｃ，１０Ｋは、バックアップロール３４と複数の張架ロール３２によって張架された無端状の中間転写ベルト３０の進行方向に対して、画像形成ユニット１０Ｙ，１０Ｍ，１０Ｃ，１０Ｋの順番で直列に配列されている。また、中間転写ベルト３０は、各画像形成ユニット１０Ｙ，１０Ｍ，１０Ｃ，１０Ｋの像担持体としての感光体ドラム１２Ｙ，１２Ｍ，１２Ｃ，１２Ｋと、それぞれ対向して配設される一次転写ロール１６Ｙ、１６Ｍ，１６Ｃ，１６Ｋとの間を挿通している。
【００３５】
次に、各画像形成ユニット１０Ｙ，１０Ｍ，１０Ｃ，１０Ｋの構成と画像形成の動作とを、代表してイエロートナー画像を形成する画像形成ユニット１０Ｙについて説明する。
【００３６】
感光体ドラム１２Ｙの表面は、帯電部材としての帯電ロール１３Ｙにより一様に帯電される。帯電ロール１３Ｙの表面は、帯電ロール１３Ｙと従動回転する中空体の清掃部材５０Ｙによって清掃される。なお、帯電ロール１３Ｙと清掃部材５０Ｙについては、詳細を後述する。
【００３７】
次に、露光装置１４Ｙによりイエロー画像に対応する像露光がなされ、感光体ドラム１２Ｙの表面にイエロー画像に対応する静電潜像が形成される。
【００３８】
イエロー画像に対応する静電潜像は、現像装置１５Ｙの現像バイアスが印加された現像ロール１８Ｙに担持されたトナーによって現像され、イエロートナー画像となる。イエロートナー画像は、一次転写ロール１６Ｙの圧接力と、一次転写ロール１６Ｙに印加された転写バイアスによる静電吸引力によって、中間転写ベルト３０上に一次転写される。
【００３９】
この一次転写では、イエロートナー画像は全て中間転写ベルト３０に転写されず、一部が転写残留イエロートナーとして、感光体ドラム１２Ｙに残留する。また、感光体ドラム１２Ｙの表面には、トナーの外添剤なども付着している。一次転写後の感光体ドラム１２Ｙは、クリーニング装置２０Ｙとの対向位置を通過し、感光体ドラム１２Ｙの表面の転写残留トナーなどが除去される。その後、感光体ドラム１２Ｙの表面は、つぎの画像形成サイクルの為、帯電ロール１３Ｙで再び帯電される。
【００４０】
また、画像形成装置１００では、各画像形成ユニット１０Ｙ，１０Ｍ，１０Ｃ，１０Ｋの相対的な位置の違いを考慮したタイミングで、上記と同様の画像形成工程が各画像形成ユニット１０Ｙ，１０Ｍ，１０Ｃ，１０Ｋにおいて行われ、中間転写ベルト３０上に、順次、Ｙ，Ｍ，Ｃ，Ｋの各色トナー像が重ねられ、多重トナー像が形成される。
【００４１】
そして、所定のタイミングで二次転写位置Ａへと搬送されてきた記録用紙Ｐに、転写バイアスが印加された二次転写ロール３６の静電吸引力によって、中間転写ベルト３０から多重トナー像が一括して、記録用紙Ｐに転写される。
【００４２】
多重トナー像が転写された記録用紙Ｐは、中間転写ベルト３０から分離された後、定着装置３１へと搬送され、熱と圧力とにより記録用紙Ｐに定着されてフルカラー画像が形成される。
【００４３】
記録用紙Ｐに転写されなかった中間転写ベルト３０上の転写残留トナーは、中間転写ベルト用クリーナー３３で回収される。
【００４４】
次に帯電ロール１３及び清掃部材５０について詳細に説明する。
【００４５】
図１、２に示されるように、帯電ロール１３と清掃部材５０が感光体ドラム１２の上部に設けられている。
【００４６】
詳細には、感光体ドラム１２の上部に、感光体ドラム１２と当接する円柱状の帯電ロール１３が設けられ、この帯電ロール１３は、導電性のシャフト１３Ａの周囲に帯電層１３Ｂが形成されたものである。さらに、シャフト１３Ａの両端部が画像形成装置１００の本体フレーム（図示省略）に回転可能に支持されている。
【００４７】
帯電ロール１３の上部には、帯電ロール１３の表面に当接し、帯電ロール１３と従動回転する円筒状の清掃部材５０が設けられている。この清掃部材５０の両端部には、中空部を閉塞する円形の蓋部５０Ａが設けられ、さらに、この蓋部５０Ａの中心から、軸部５０Ｂが突出しており、軸部５０Ｂは画像形成装置１００の本体フレームに回転可能に支持される。
【００４８】
この構成により、帯電ロール１３は、図１に示すＡ方向に回転する感光体ドラム１２の表面に当接し、図１に示すＢ方向に従動回転しながら感光体ドラムの表面を帯電させている。また、清掃部材５０は、この帯電ロール１３の表面に当接し、帯電ロール１３と従動しながら図１に示すＣ方向に回転し帯電ロール１３の表面に付着したトナーや埃等を取り除く。
【００４９】
これにより、清掃部材５０を円筒状（中空体）とすることで、大径化して剛性を上げても軽量化することができる。
【００５０】
次に本発明の清掃装置が採用された画像形成装置の第２実施形態を図４〜５に従って説明する。
【００５１】
なお、第１実施形態と同一部材については、同一符号を付してその説明を省略する。
【００５２】
この実施形態では第１実施形態のように、清掃部材の両端には、軸部が設けられておらず、それに替えて、清掃部材６０を押圧する押圧部材としてのケース６２が設けられている。
【００５３】
詳細には、図５に示されるように、清掃部材６０は、ゴム材で中空体に成形された弾性チューブであり、両端部は、閉塞されず開放されている。また、この清掃部材６０を帯電ロール１３に押し付けて変形させるケース６２は、下方が開口した長方形状の箱体で、帯電ロール１３の回転軸方向に長くなっている。このケース６２の側板６２Ａが清掃部材６０の端部と当り清掃部材６０の帯電ロール１３の軸方向への移動を規制している。
【００５４】
図４に示されるように、ケース６２の天板６２Ｃが、清掃部材６０を帯電ロール１３側へ押圧するように本体フレームに取付けられている。これにより、清掃部材６０は弾性変形して、断面が一定の楕円形状となっている。また、帯電ロール１３の軸方向に沿って清掃部材６０の回転位置を規制する回転位置規制手段としての側板６２Ｄが斜め下方に延びて設けられている。
【００５５】
さらに、ケース６２の清掃部材６０との当接面にフッ素コートを施しているため、清掃部材６０とケース６２との間に作用する摩擦力は、清掃部材６０と帯電ロール１３との間に作用する摩擦力より小さくなっている。この結果、清掃部材６０は、帯電ロール１３との間に作用する摩擦力によってスムーズに従動回転する。
【００５６】
この構成により、側板６２Ｄは清掃部材６０が帯電ロール１３と従動回転して従動方向へ移動しようとする動きを外側から当接して規制する。弾性変形した清掃部材６０は、天板６２Ｃ及び側板６２Ｄと当接しながら帯電ロール１３と従動して図４に示すＦ方向に回転しながら帯電ロール１３の表面に付着したトナーや埃等を清掃する。
【００５７】
清掃部材６０の断面を楕円形状に弾性変形させることで、帯電ロール１３との間に軸方向に沿って所定のニップ幅を確保して帯電ロール１３と従動回転するため、帯電ロール１３の表面を清掃する清掃性能が向上する。
【００５８】
また、ケース６２の天板６２Ｃと側板６２Ｄは一体成形できるため、別途位置規制する部材が不要である。
【００５９】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、清掃部材５０としての弾性チューブをゴム材で成形したが、それに替えて、ポリイミドやポリエチレンテレフタレート等の樹脂で弾性チューブを成形してもよい。
【００６０】
また、上記実施形態では、ケース６２にフッ素コートを施すことで、ケース６２と清掃部材６０との摩擦力を低減させたが、それに替えて、ケース６２の清掃部材６０との当接面にリブ等を設けて、清掃部材６０との面接触を避けることにより摩擦力を低減させてもよい。
【００６１】
次に本発明の清掃装置が採用された画像形成装置の第３実施形態を図６〜７に従って説明する。
【００６２】
なお、第２実施形態と同一部材については、同一符号を付してその説明を省略する。
【００６３】
この実施形態では前記第２実施形態のように、清掃部材６０は、外部からケースによって回転位置を規制されておらず、それに替えて、清掃部材６０は、内部に配置された芯金７２によって回転位置が規制されている。
【００６４】
詳細には、図７に示されるように、押圧部材としてのチャンネル７６の側板７６Ａには、帯電ロール１３の軸方向に沿って円柱状の芯金７２が回転自在に掛け渡されている。この芯金７２は、清掃部材６０の内周面に当接して清掃部材６０の従動方向への移動を規制している。
【００６５】
この構成により、図６に示されるように、芯金７２が清掃部材６０の中に挿入され、清掃部材６０の内周面に当接し、清掃部材６０はＧ方向に回転する帯電ロール１３と従動してＨ方向に回転する。
【００６６】
なお、本実施形態では、清掃部材６０が帯電ロール１３との摩擦力で回転するため、帯電ロール１３との当接部では、清掃部材６０には矢印Ｊ方向の力が作用する。そこで、芯金７２は、紙面右側に配置され、清掃部材６０の回転位置を規制する。
【００６７】
従って、弾性チューブの回転位置を汎用部品である芯金７２で規制するため、製造コストを削減できる。
【００６８】
次に本発明の清掃装置が採用された画像形成装置の第４実施形態を図８に従って説明する。
【００６９】
なお、第２実施形態と同一部材については、同一符号を付してその説明を省略する。
【００７０】
この実施形態では前記第２実施形態のように、清掃部材は外部からケースに押圧されておらず、それに替えて、清掃部材６０は、清掃部材６０の中に挿入された一対のシャフト７８によって押し拡げられて帯電ロール１３に押し付けられている。さらに、この一対のシャフト７８は、その軸方向を帯電ロール１３の軸方向と同一方向に向けて画像形成装置１００の本体フレームに回転自在に取付けられている。
【００７１】
この構成により、弾性変形した清掃部材６０は、帯電ロール１３との間に軸方向に沿って所定のニップ幅を安定して確保できる。また、シャフト７８が回転することでベルトコンベアのように清掃部材６０は安定して従動回転する。これにより、清掃性能が安定する。
【００７２】
次に本発明の清掃装置が採用された画像形成装置の第５実施形態を図９〜１１に従って説明する。
【００７３】
なお、第１実施形態と同一部材については、同一符号を付してその説明を省略する。
【００７４】
この実施形態では前記第１実施形態とは違い、清掃部材８０は、ゴム材で中空体に成形された弾性チューブであり、内部から清掃部材８０を帯電ロール１３に押圧するニップ形成部材８２が設けられている。これにより、帯電ロール１３との間に軸方向に沿って所定のニッブ幅が形成され、さらに、安定したニップ力が発生している。
【００７５】
詳細には、図１０に示されるように、清掃部材８０の内部には清掃部材８０の回転軸方向に延びるニップ形成部材８２が設けられている。図１１に示されるように、このニップ形成部材８２には、清掃部材８０を帯電ロール１３に押し付ける円柱状のニップ部８２Ａと、ニップ部８２Ａの両端を回転自在に支持する支持部８２Ｂと、画像形成装置１００の本体フレームに取り付けられて支持部８２Ｂを保持する円柱状の保持部８２Ｃとが備えられている。さらに、図９に示されるように、このニップ部８２Ａが清掃部材８０の内部から清掃部材８０を帯電ロール１３へ押し付けることで、帯電ロール１３の表面が変形して帯電ロール１３と清掃部材８０のニップ幅（図９に示すＲ範囲）が大きくなっている。
【００７６】
また、ニッブ部８２Ａには、フッ素コートが施されており、清掃部材８０とニップ形成部材８２との摩擦力は、清掃部材８０と帯電ロール１３との摩擦力より小さい。
【００７７】
この構成により、清掃部材８０は、帯電ロール１３と従動して図９に示すＫ方向に回転しながら帯電ロール１３の表面に付着したトナーや埃等を確実に掻き落とすことができる。
【００７８】
次に本発明の清掃装置が採用された画像形成装置の第６実施形態を図１２〜１３に従って説明する。
【００７９】
なお、第５実施形態と同一部材については、同一符号を付してその説明を省略する。
【００８０】
この実施形態では前記第５実施形態とは違い、清掃部材８０を帯電ロール１３に押し付けるニップ部は円柱状ではなく、それに替えて、帯電ロール１３の外表面に沿って湾曲した湾曲板である。
【００８１】
詳細には、図１３に示されるように、ニップ形成部材９２のニップ部９２Ａの形状は、帯電ロール１３（図１２参照）の軸方向延びる湾曲板となっており、図１２に示されるように、ニップ部９２Ａの湾曲面は、内部から清掃部材８０を帯電ロール１３に押し付ける。このため、清掃部材８０の外表面と帯電ロール１３の外表面とのニップ幅が大きくなっている。
【００８２】
また、ニップ部９２Ａの帯電ロール１３の周方向の長さを調整することで、帯電ロール１３へストレスをかけることなく、ニップ幅を調整することができるため、清掃部材８０の耐久性が向上し、ニップ幅を容易に変更することができる。
【００８３】
さらに、ニップ部９２Ａの幅方向（図１２に示す矢印Ｔ方向）の両端（ニップ領域の前後）では、清掃部材８０の曲率が急激に変化してエッジ部が形成される。このエッジ部で帯電ロール１３に付着したトナーや埃等を掻き取る剪断力が大きくなり、清掃性能が向上している。
【図面の簡単な説明】
【００８４】
【図１】本発明の第１実施形態に係る感光体、帯電ロール、及び清掃部材を示した断面図である。
【図２】本発明の第１実施形態に係る感光体、帯電ロール、及び清掃部材を示した斜視図である。
【図３】本発明の第１実施形態に係る画像形成装置を示した概略構成図である。
【図４】本発明の第２実施形態に係る感光体、帯電ロール、清掃部材、及びケースを示した断面図である。
【図５】本発明の第２実施形態に係る感光体、帯電ロール、清掃部材、及びケースを示した斜視図である。
【図６】本発明の第３実施形態に係る感光体、帯電ロール、清掃部材、ケース、及びシャフトを示した断面図である。
【図７】本発明の第３実施形態に係る感光体、帯電ロール、清掃部材、ケース、及びシャフトを示した斜視図である。
【図８】本発明の第４実施形態に係る感光体、帯電ロール、清掃部材、ケース、第一シャフト、及び第二シャフトを示した断面図である。
【図９】本発明の第５実施形態に係る感光体、帯電ロール、清掃部材、及びニップ形成部材を示した断面図である。
【図１０】本発明の第５実施形態に係る帯電ロール、清掃部材、及びニップ形成部材を示し、図９に示す１０−１０断面図である。
【図１１】本発明の第５実施形態に係るニップ形成部材を示した斜視図である。
【図１２】本発明の第６実施形態に係る感光体、帯電ロール、清掃部材、及びニップ形成部材を示した断面図である。
【図１３】本発明の第６実施形態に係るニップ形成部材を示した斜視図である。
【符号の説明】
【００８５】
１２      感光体ドラム（像担持体）
１３      帯電ロール（帯電部材）
５０      清掃部材（第１実施形態）
６０      清掃部材（第２、３、４実施形態）
６２      ケース（押圧部材、第２実施形態）
６２Ｄ    板材（回転位置規制手段）
７２      芯金
７６      チャンネル（押圧部材、第３実施形態）
７８      シャフト
８０      清掃部材（第５、６実施形態）
８２      ニップ形成部材（第５実施形態）
９２      ニップ形成部材（第６実施形態）
【図１】
2007199265.tif 000003
【図２】
2007199265.tif 000004
【図３】
2007199265.tif 000005
【図４】
2007199265.tif 000006
【図５】
2007199265.tif 000007
【図６】
2007199265.tif 000008
【図７】
2007199265.tif 000009
【図８】
2007199265.tif 000010
【図９】
2007199265.tif 000011
【図１０】
2007199265.tif 000012
【図１１】
2007199265.tif 000013
【図１２】
2007199265.tif 000014
【図１３】
2007199265.tif 000015